(57)【要約】【課題】タグ携行人畜が立回った重点拠点の重点場所情報等が通報先へ送られ、タグ携行人畜の居場所が特定できる追跡システムの提供。【解決手段】飼猫６１や子供７１や老人８１が重点拠点（ゴミ置き場９１、公園９２、トイレ９３）に立回ると、携行したアクティブ無線タグ６、７、８から変調波６２、７２、８２が放射され、拠点装置９の受信回路で個体識別が成されると、通報回路が立回り時間、拠点場所情報、および個体識別情報を通報先へ電波９０で送信する。通報先では、取得した、個体識別情報、立回り時間、および拠点場所情報に基づいて飼猫６１、子供７１、老人８１の居場所を特定する。【選択図】図１
2011065657.tif 000002
【特許請求の範囲】
【請求項１】
居場所不明になり易い人畜らに携行させ、個体識別情報を重畳させた変調波を送信アンテナから周期的に放射するアクティブ無線タグと、
前記変調波を捉える受信アンテナと、捉えた変調波の増幅、検波、復調を行う受信回路と、個体識別が成されると立回り時間および拠点場所情報とともに個体識別情報を通信回線を介して通報先に送信する通報回路とを有し、タグ携行人畜が立回る可能性が高い複数の重点拠点に設置される拠点装置とで構成され、
前記重点拠点に前記タグ携行人畜が立ち回わった際に、前記アクティブ無線タグから前記変調波が放射されると、前記通報先では、前記個体識別情報とともに送られてくる前記立回り時間および前記拠点場所情報に基づいて前記タグ携行人畜の居場所を特定することを特徴とする追跡システム。
【発明の詳細な説明】
【技術分野】
【０００１】
本発明は、アクティブ無線タグを使った追跡システムに関する。
【背景技術】
【０００２】
特許文献１には、携帯電話を携帯する火災発見者が消火器を操作すると、消火器に装備したＲＦＩＤタグから携帯電話へＩＤを送信し、その携帯電話から消防へ緊急通報する消火器が開示されている。
【先行技術文献】
【特許文献】
【０００３】
【特許文献１】特開２００７−１０２２９５
【発明の概要】
【発明が解決しようとする課題】
【０００４】
特許文献１において、ＲＦＩＤ受信機能付の携帯電話を火災発見者が持っていない場合や、消火器を操作しないで避難した場合や、火災現場が圏外の場合には、消防へ緊急通報されない。
【０００５】
本発明の目的は、タグ携行人畜が立回った重点拠点の重点場所情報等が通報先へ送られ、タグ携行人畜の居場所が特定できる追跡システムの提供にある。
【課題を解決するための手段】
【０００６】
請求項１の追跡システムは、居場所不明になり易い人畜らにアクティブ無線タグを携行させ、タグ携行人畜が立回る可能性が高い複数の重点拠点に設置した拠点装置に人畜らが立回ると通報先へ送信する仕組みである。
【０００７】
なお、人畜とは、室内で放飼の飼犬や飼猫等の愛玩動物、目を離すと家外へ出てしまう子供、徘徊癖が有る老人等である。
また、重点拠点とは、動物処分場、公衆便所、遊技場、残飯置場、ＡＴＭ、公園、自動販売機、駅等のタグ携行人畜が立回る可能性が高い場所である。
【０００８】
人畜らに携行させるアクティブ無線タグは、個体識別情報を重畳させた変調波を送信アンテナから周期的に放射する構造である。
【０００９】
重点拠点に設置する拠点装置は、変調波を捉える受信アンテナと、捉えた変調波の増幅、検波、復調を行う受信回路と、個体識別が成されると立回り時間および拠点場所情報とともに個体識別情報を通信回線を介して通報先に送信する通報回路とを有する。
【００１０】
重点拠点にタグ携行人畜が立回ると、タグ携行人畜が携行したアクティブ無線タグから変調波が放射される。
重点拠点に設置した拠点装置の受信アンテナが変調波を捉え、受信回路が変調波の増幅、検波、復調を行い、個体識別が成されると通報回路が立回り時間および拠点場所情報とともに個体識別情報を、通信回線を介して通報先に送信する。
【００１１】
通報先では、個体識別情報とともに送られてくる立回り時間および拠点場所情報に基づいてタグ携行人畜の居場所を特定することができる。
【図面の簡単な説明】
【００１２】
【図１】本発明の実施例１に係る追跡システムの説明図である。
【図２】その追跡システムのブロック図である。
【発明を実施するための形態】
【００１３】
追跡システムは、変調波を捉える受信アンテナ、捉えた変調波の増幅、検波、復調を行う受信回路、および個体識別が成されると立回り時間と拠点場所情報とともに個体識別情報を通信回線を介して管理センターに送信する通報回路を有する拠点装置を老人が立回る可能性が高い重点拠点に設置し、個体識別情報を重畳させた変調波を、送信アンテナから周期的に放射するアクティブ無線タグを徘徊癖がある老人に携行させている。
【００１４】
タグ携行人畜が重点拠点に立回った際にアクティブ無線タグから変調波が放射され、そこの拠点装置が受信して、立回り時間および拠点場所情報が管理センターへ送信されると、それらの情報に基づいて老人の居場所を特定することができる。
【実施例１】
【００１５】
本発明の実施例１に係る追跡システムＣを、図１、図２に基づいて説明する。
図１、図２に示す如く、追跡システムＣは、居場所不明になり易い飼猫６１、子供７１、老人８１らに携行させるアクティブ無線タグ６、７、８と、ゴミ置場９１、公園９２、トイレ９３に設置される拠点装置９とにより構成される。
【００１６】
なお、飼猫６１以外に飼犬等の愛玩動物でも良い。また、タグ携行人畜が立回る可能性が高い重点拠点は、ゴミ置場９１、公園９２、トイレ９３以外に、動物処分場、遊技場、残飯置場、ＡＴＭ、自動販売機、駅等の場所であっても良い。
【００１７】
アクティブ無線タグ６は、個体識別情報を重畳させた変調波６２を送信アンテナ６３から周期的（数秒〜数十秒毎）に所定時間（数ｍｓ〜数十ｓ）、放射する構造であり、首輪６４に取り付けられている。
アクティブ無線タグ７は、個体識別情報を重畳させた変調波７２を送信アンテナから周期的（数秒〜数十秒毎）に所定時間（数ｍｓ〜数十ｓ）、放射する構造であり、名札７３に取り付けられている。
アクティブ無線タグ８は、個体識別情報を重畳させた変調波８２を送信アンテナから周期的（数秒〜数十秒毎）に所定時間（数ｍｓ〜数十ｓ）放射する構造であり、腕章８３に取り付けられている。
【００１８】
拠点装置９は、変調波６２（変調波７２、８２も）を捉える受信アンテナ９４と、捉えた変調波の増幅、検波、復調を行う受信回路９５と、個体識別が成されると立回り時間、拠点場所情報、および個体識別情報を重畳させた電波９０を送信アンテナ９６から通報先に送信する通報回路９７とを有する。
【００１９】
なお、通報先は、飼猫６１の飼主や、子供７１の保護者や、老人８１の収容施設に設置した受信装置である。
【００２０】
この追跡システムＣの作動および利点を述べる。
飼猫６１や子供７１や老人８１が、ゴミ置場９１や公園９２やトイレ９３に立回ると、携行したアクティブ無線タグ６、７、８から変調波６２、７２、８２が放射される。
【００２１】
ゴミ置場９１や公園９２やトイレ９３等の重要拠点に設置した拠点装置９の受信アンテナ９４が変調波６２、７２、８２を捉え、受信回路９５が変調波６２、７２、８２の増幅、検波、復調を行い、個体識別が成されると、拠点場所情報、および個体識別情報を重畳させた電波９０を送信アンテナ９６から通報先へ、通報回路９７が立回り時間、拠点場所情報、および個体識別情報を通報先に送信する。
【００２２】
通報先では、取得した、個体識別情報、立回り時間、および拠点場所情報に基づいて飼猫６１や子供７１や老人８１の居場所を特定することができる。
【００２３】
本発明は、上記実施例以外に、つぎの実施態様を含む。
人畜とは、その他、飼犬等のペットでも良い。重点拠点は、動物処分場、遊技場、残飯置場、ＡＴＭ、自動販売機、駅等であっても良い。
【符号の説明】
【００２４】
Ｃ  追跡システム
６、７、８  アクティブ無線タグ
９  拠点装置
７１  子供（人畜）
８１  老人（人畜）
８２  変調波
９１  ゴミ置場（重点拠点）
９２  公園（重点拠点）
９３  トイレ（重点拠点）
【図１】
2011065657.tif 000003
【図２】
2011065657.tif 000004